(57)【要約】【課題】ケースを開封することなく、十分に管理することができる出荷ケースを提供すること。【解決手段】透明ガラス基板と、この透明ガラス基板上に画素毎に異なる着色皮膜を備えて成り、液晶ディスプレイ等のディスプレイの表示画面側に装着され、画面表示のための表示光を上記着色皮膜により着色するカラーフィルタ３を破壊から防止する緩衝材１１，１２を備える出荷ケース本体１と、この出荷ケース本体１を密封する蓋体２とで構成されており、上記出荷ケース本体１及び蓋体２の少なくとも一方の内側に、カラーフィルタ３の管理情報を記憶すると共に非接触でその管理情報を読み出すことのできるＩＣタグ（図示せず）を備える。その管理情報を非接触で読み出すことができるため、汚れの有無やケースを重ねたか否かなどに拘わらず、その管理情報を読み出すことができ、従って、ケースを開封することなく、十分に管理することができる。【選択図】図１
2005112446.tif 000002
【特許請求の範囲】
【請求項１】
ガラス板を破壊から防止する緩衝材を備える出荷ケース本体と、この出荷ケース本体を密封する蓋体とで構成されており、
上記出荷ケース本体及び蓋体の少なくとも一方の内側に、ガラス板の管理情報を記憶すると共に非接触でその管理情報を読み出すことのできるＩＣタグを備えることを特徴とするガラス板出荷ケース。
【請求項２】
ガラス板が、透明ガラス基板と、この透明ガラス基板上に画素毎に異なる着色皮膜を備えて成り、
液晶ディスプレイ等のディスプレイの表示画面側に装着され、画面表示のための表示光を上記着色皮膜により着色するカラーフィルタであることを特徴とする請求項１記載のガラス板出荷ケース。
【発明の詳細な説明】
【技術分野】
【０００１】
本発明は、ガラス板の出荷ケースに関するものである。更に詳しくは、透明ガラス基板と、この透明ガラス基板上に画素毎に異なる着色皮膜を備えて成り、液晶ディスプレイ等のディスプレイの表示画面側に装着され、画面表示のための表示光を上記着色皮膜により着色するカラーフィルタ等のガラス板を出荷するためのケースに関する。
【背景技術】
【０００２】
液晶ディスプレイの表面に装着されるカラーフィルタは表示光を着色するものであるが、一般に、液晶駆動用の電極を備えていることが多い。このようなカラーフィルタは、その表面に塵や埃がついても、その駆動性能や画面表示性能に重大な影響を与えるので、その出荷に当たって、十分な注意が払われなければならない。
【０００３】
このため、一般に、その出荷、保管、輸送に当たっては、カラーフィルタを、内壁に発泡スチロール製緩衝材を備えるケースに収容・密閉して、その物理的衝撃による破壊を防止すると共に塵・埃等による汚染を防止していた。
【０００４】
一方、このようなケースに収容されたカラーフィルタは外部から、その内容を確認することができないため、そのケース表面にカラーフィルタの識別名などを記入したラベルを貼付して管理していた。
【０００５】
以下に公知文献を述べる。
【特許文献１】特開平７−３３００４３号公報
【発明の開示】
【発明が解決しようとする課題】
【０００６】
しかしながら、ケースは、これを重ねて保管したり、移動したりするすることがあるため、時間の経過と共にラベルが汚れ、あるいは、かすれて読みとりにくくなってしまうことがあった。
【０００７】
また、ケースからラベルが剥がれてしまったり、複数のラベルがついてしまうこともあった。
【０００８】
あるいは、ケースを重ねて保管する際に、ラベルが隠れて読みとれないこともあった。このように、ラベルによる管理はその限界があり、十分な管理ができないことがあった。なお、ラベルが読みとれない場合には、蓋体を開けて内部のカラ−フィルタを確認することになるが、このとき、ケースの密封が破れ、外部から塵や埃が侵入したり、ケース本体と蓋体の摩擦で発生したかすがカラーフィルタを汚染することも考えられた。
【０００９】
本発明は、上記の課題を考慮してなされたもので、ケースを開封することなく、十分に管理することができる出荷ケースを提供することを目的とするものである。
【課題を解決するための手段】
【００１０】
本発明の請求項１に係る発明は、
ガラス板を破壊から防止する緩衝材を備える出荷ケース本体と、この出荷ケース本体を密封する蓋体とで構成されており、
上記出荷ケース本体及び蓋体の少なくとも一方の内側に、ガラス板の管理情報を記憶すると共に非接触でその管理情報を読み出すことのできるＩＣタグを備えることを特徴とするガラス板出荷ケースである。
【００１１】
この発明によれば、出荷ケース本体及び蓋体の少なくとも一方にガラス板の管理情報を
記憶するＩＣタグを備え、しかもその管理情報を非接触で読み出すことができるため、汚れの有無やケースを重ねたか否かなどに拘わらず、その管理情報を読み出すことができ、従って、ケースを開封することなく、十分に管理することができる。
【００１２】
次に、請求項２に係る発明は、ガラス板をカラーフィルタに限定したものである。
【００１３】
すなわち、請求項２に係る発明は、
ガラス板が、透明ガラス基板と、この透明ガラス基板上に画素毎に異なる着色皮膜を備えて成り、
液晶ディスプレイ等のディスプレイの表示画面側に装着され、画面表示のための表示光を上記着色皮膜により着色するカラーフィルタであることを特徴とする請求項１記載のガラス板出荷ケースである。
【発明の効果】
【００１４】
本発明によれば、出荷ケース本体及び蓋体の少なくとも一方にガラス板の管理情報を記憶するＩＣタグを備え、しかもその管理情報を非接触で読み出すことができるため、汚れの有無やケースを重ねたか否かなどに拘わらず、その管理情報を読み出すことができ、従って、ケースを開封することなく、十分に管理することができる。
【発明を実施するための最良の形態】
【００１５】
図面の図１は、本発明に係る出荷ケース本体と、その蓋体とを示す一部破断斜視図である。なお、ＩＣタグの図示を省略してある。
【００１６】
図１において、１は出荷ケースを示す。ケース本体１は発泡ポリプロピレンからできており、その底面には線状に緩衝材１１が複数条設けられている。この緩衝材１１は発泡ポリエチレンからできている。
【００１７】
また、互いに対向する２つの側壁には、カラーフィルタ固定用の緩衝材１２が設けられており、図から分かるように、カラーフィルタ固定用の緩衝材１２は底面の緩衝材１１に直交する方向に複数条設けられている。このカラーフィルタ固定用緩衝材１２も発泡ポリエチレンからできている。
【００１８】
なお、蓋体２は発泡ポリプロピレンからできており、その内側上面には、上記緩衝材１１に対向するように緩衝材が設けられ、側壁には上記カラーフィルタ固定用緩衝材１２に連続するようにカラーフィルタ固定用緩衝材が設けられている（いずれも図示せず）。
【００１９】
次に、図２は、カラーフィルタ３を収容した状態の出荷ケース本体１を示す一部破断斜視図である。この図から分かるように、カラーフィルタ３は、カラーフィルタ固定用緩衝材１２の間に配置されてこれらカラーフィルタ固定用緩衝材１２によって表裏両面から固定されると共に、底面の緩衝材１１に交差してその上に乗るように収容される。
【００２０】
次に、ＩＣタグ４の貼付方法について説明する。ＩＣタグ４はＩＣチップを有し、そのＩＣチップ内にカラーフィルタの管理情報を記憶できるものである。また、記憶した管理情報を、リーダーライターを通して外部から読みとることができるもので、このため、入出力用のアンテナを備えるものである。なお、リーダーライターを通して、非接触で情報を書き込むことのできるＩＣタグが好ましく使用できる。このようなＩＣタグはＲＦ−ＩＣタグとして知られている。ＩＣタグはケース本体１又は蓋体２の内側に設けることができる。さらに、ケース本体と蓋体が離反することを考慮すると、内容物の入るケース本体に設けるのが好ましい。
【００２１】
図３は、ＩＣタグ４を、ケース本体１の内部の底面に取り付けた例を示すものである。この場合には、図４に示すように、緩衝材１１の間にＩＣタグ４を設けて、カラーフィルタとの接触を防ぐことができる。ＩＣタグ４は、接着剤により接着して設けることができ
る。
【００２２】
図５はケース本体の側面部に設けた例を示すものである。カラーフィルタと接触しない位置に設けることが望ましい。なお、ケース本体１の内面に凹部を設け、この凹部にＩＣタグを接着することによりカラーフィルタとの接触を防止することも可能である。
【図面の簡単な説明】
【００２３】
【図１】本発明に係る出荷ケース本体と、その蓋体とを示す一部破断斜視図。
【図２】カラーフィルタ３を収容した状態の出荷ケース本体１を示す一部破断斜視図。
【図３】図３（ａ）は、ＩＣタグ４を、ケース本体１の内部の底面に取り付けた例を示す正面図。（ｂ）はその側面図である。
【図４】図３における説明図。
【図５】図５（ａ）は、ＩＣタグを、ケース本体の側面部に設けた例を示す正面図。（ｂ）はその側面図である。
【符号の説明】
【００２４】
１……出荷ケース本体
１１……緩衝材
１２……カラーフィルタ固定用緩衝材
２……蓋体
３……カラーフィルタ
４……ＩＣタグ
【図１】
2005112446.tif 000003
【図２】
2005112446.tif 000004
【図３】
2005112446.tif 000005
【図４】
2005112446.tif 000006
【図５】
2005112446.tif 000007